(57)【要約】【課題】種々の長さの釣竿を収納するのに長さの調整（微調整）が容易で同一の釣竿ケースを種々の長さの釣竿に使用でき、かつ、釣竿ケースに収納した釣竿を取り出し易く、釣竿ケースを落下させる等、衝撃を与えた場合であっても釣竿ケースが軸長方向に短くなるのを防止できる釣竿ケースを提供すること。【解決手段】釣竿ケース１０は、それぞれ筒状の第１のケース１２と第２のケース１４とを備えている。第１のケースはその外周面に雄ネジ部１２ａを、第２のケースはその内周面に前記雄ネジ部に螺合される雌ネジ部１４ａを有する。そして、第１のケースの雄ネジ部と第２のケースの雌ネジ部とが螺合されることにより釣竿２０が収納される釣竿収納部１０ａが形成される。したがって、第１のケースと第２のケースとを相対的に回転させることにより釣竿収納部１０ａの全長は伸縮可能である。【選択図】    図２
2010104337.tif 000002
【特許請求の範囲】
【請求項１】
筒状の内ケースと外ケースとを具備する釣竿ケースであって、
前記内ケースはその外周面に雄ネジ部を、前記外ケースはその内周面に前記雄ネジ部に螺合される雌ネジ部を有し、前記内ケースの雄ネジ部と外ケースの雌ネジ部とが螺合されることにより釣竿が収納される釣竿収納部を備え、
前記筒状の内ケースと外ケースとを相対的に回転させることにより前記釣竿収納部の全長を伸縮可能としたことを特徴とする釣竿ケース。
【請求項２】
前記内ケースおよび外ケースの少なくとも一方には、前記内ケースに対する前記外ケースの移動を防止して前記釣竿収納部の全長が変化するのを防止する緩み止め部が配設されていることを特徴とする請求項１に記載の釣竿ケース。
【請求項３】
前記外ケースの端部には、前記釣竿を出し入れするためのキャップが開閉可能に配設されていることを特徴とする請求項１もしくは請求項２に記載の釣竿ケース。
【発明の詳細な説明】
【技術分野】
【０００１】
この発明は、釣竿を収納する釣竿ケースに関する。
【背景技術】
【０００２】
長さの異なる多種の釣竿を収納、陳列することができる伸縮自在の釣竿ケースが例えば特許文献１に開示されている。特許文献１の釣竿ケースは、断面が角状で、一端が閉鎖され、他方が開放する筒状の内ケースと外ケースとからなる。釣竿ケースは、外ケースの開放端部に内ケースの開放端部を挿入して摺動可能である。そして、内ケースと外ケースとの対向する摺動面の所定の位置に任意の間隔をもって摺動の係止手段を設け、係止手段は外ケースに設けられた凸部と内ケースに設けられた凹部との嵌合による。
【特許文献１】特開２００１−２５８４４９号公報
【発明の開示】
【発明が解決しようとする課題】
【０００３】
特許文献１に開示された釣竿ケースでは、内ケースと外ケースとを相対的に押し込んだり引き伸ばすことで行われるが、そのときのケース同士の嵌合は凹部と凸部によるものであるから、複数の凹部と複数の凸部とを設けても数には限りがあり、釣竿ケースの長さを細かく調整することは難しい。また、内ケースと外ケースとが固定したい位置を超えて長くなったり、短くなったりする。すなわち、長さの調整（微調整）が難しい。そして、釣竿ケースを落下させる等、釣竿ケースに衝撃を与えた場合、凹部と凸部とによる嵌合が外れて内ケースと外ケースとが相対的に軸長方向に短くなることがあるので、釣竿ケース内の釣竿の穂先や先端に取り付けられた釣糸ガイド等を内ケースまたは外ケースの閉鎖端により破損させるおそれがある。
【０００４】
この発明は、このような課題を解決するためになされたもので、種々の長さの釣竿を収納するのに長さの調整（微調整）が容易で同一の釣竿ケースを種々の長さの釣竿に使用でき、かつ、釣竿ケースに収納した釣竿を取り出し易く、釣竿ケースを落下させる等、衝撃を与えた場合であっても釣竿ケースが軸長方向に短くなるのを防止できる釣竿ケースを提供することを目的とする。
【課題を解決するための手段】
【０００５】
上記課題を解決するために、この発明に係る、筒状の内ケースと外ケースとを具備する釣竿ケースであって、前記内ケースはその外周面に雄ネジ部を、前記外ケースはその内周面に前記雄ネジ部に螺合される雌ネジ部を有し、前記内ケースの雄ネジ部と外ケースの雌ネジ部とが螺合されることにより釣竿が収納される釣竿収納部を備え、前記筒状の内ケースと外ケースとを相対的に回転させることにより前記釣竿収納部の全長を伸縮可能としたことを特徴とする。  
また、前記内ケースおよび外ケースの少なくとも一方には、前記内ケースに対する前記外ケースの移動を防止して前記釣竿収納部の全長が変化するのを防止する緩み止め部が配設されていることが好適である。  
また、前記外ケースの端部には、前記釣竿を出し入れするためのキャップが開閉可能に配設されていることが好適である。
【発明の効果】
【０００６】
内ケースの雄ネジ部と外ケースの雌ネジ部との螺合状態は無段階に変更することができる（釣竿ケースの長さの微調整が可能である）ので、種々の長さの釣竿に１つ（共通）の釣竿ケースを適合させることができる。また、このように雄ネジ部と雌ネジ部との螺合状態を変化させることによって釣竿ケースから釣竿の穂先を突出することができるので、収納した釣竿を容易に取り出すことができる。また、釣竿ケースを落下等させるなど衝撃を与えても、内ケースと外ケースは雄ネジ部と雌ネジ部との螺合により連結されているので、釣竿ケースの端部で釣竿の穂先竿管に大きな力を急激に加えることを防止できる。
【０００７】
また、前記内ケースに対する前記外ケースの移動を防止する緩み止め部を設けることにより、釣竿ケースの釣竿収納部が不用意に変化するのを防止することができる。このため、釣竿ケースの端部により釣竿の穂先竿管や釣糸ガイドに力が加えられるのを防止でき、穂先竿管や釣糸ガイドの破損を防止できる。
【０００８】
また、キャップを配設することにより、釣竿ケースから釣竿を容易に出し入れすることができる。
【発明を実施するための最良の形態】
【０００９】
以下、図面を参照しながらこの発明を実施するための最良の形態（以下、実施の形態という）について説明する。
【００１０】
（第１の実施の形態）
第１の実施の形態について図１から図３を用いて説明する。  
図１（Ａ）に示すように、この実施の形態に係る釣竿ケース１０は、第１のケース（内ケース）１２と、第２のケース（外ケース）１４と、キャップ１６とを備えている。なお、第１のケース１２、第２のケース１４およびキャップ１６は例えばポリアミド系合成繊維、ポリプロピレン、塩化ビニール等の合成樹脂材や金属材で形成されていることが好適である。第１のケース１２、第２のケース１４およびキャップ１６は同じ素材で形成されていることが好ましい。
【００１１】
第１のケース１２は円筒状等、筒状に形成されている。第１のケース１２の外周面は円周状であることが好ましい。第１のケース１２の内周面は、円周状のほか、矩形状や（正）多角形等であっても良い。第１のケース１２の一端（図１中の下端）は閉塞された閉塞端であり、他端（図１中の上端）は開放された開放端として筒状に形成されている。第１のケース１２の一端の内側には、衝撃吸収材１８ａが固定されている。第１のケース１２の他端の外周面には、後述する雌ネジ部１４ａに螺合する雄ネジ部１２ａが形成されている。
【００１２】
第２のケース１４は円筒状等、筒状に形成されている。第２のケース１４の外周面の横断面は、円周状のほか、矩形状や（正）多角形等であっても良い。第２のケース１４の内周面の横断面は円周状であることが好ましい。第２のケース１４の内周面には、第１のケース１２の上述した雄ネジ部１２ａに螺合する雌ネジ部１４ａが形成されている。雌ネジ部１４ａは、第２のケース１４の一端（下端）から他端（上端）に向かって形成され、上端の一部には雌ネジ部１４ａが形成されていないことが好ましい。第２のケース１４の他端の外周面には、キャップ１６の雌ネジ部１６ａが螺合される雄ネジ部１４ｂが形成されている。
【００１３】
キャップ１６は略袋状ナットのように形成されている。このキャップ１６の閉塞された部分には、第１のケース１２の衝撃吸収材１８ａと同様に衝撃吸収材１８ｂが固定されている。
【００１４】
なお、図１（Ｂ）に示す釣竿２０は、穂先２２ａ側が細く後端側に向かって徐々に太くなるように形成された竿管２２と、竿管２２の後端を固定するグリップ２４とを備え、竿管２２にはその穂先２２ａから後端側に向かって適当な間隔ごとに釣糸ガイド２６が固定されている。この実施の形態では、このようなワンピース構造を有する釣竿２０を収納する釣竿ケース１０について説明する。なお、このような構造を有する釣竿２０には種々の長さのものがある。
【００１５】
この実施の形態に係る釣竿ケース１０に釣竿２０を収納する作業について説明する。  
図２に示すように、第１のケース１２の雄ネジ部１２ａに第２のケース１４の雌ネジ部１４ａを螺合させる。このようにして、第１のケース１２および第２のケース１４によって、釣竿収納部１０ａを形成する。なお、このとき、第１のケース１２に予め釣竿２０を入れておいても良く、第１のケース１２の雄ネジ部１２ａと第２のケース１４の雌ネジ部１４ａとを螺合させてから釣竿２０を第２のケース１４を通して第１のケース１２に入れるようにしても良い。
【００１６】
なお、釣竿２０はグリップ２４を下側に配置し、第１のケース１２の一端に固定した衝撃吸収材１８ａでグリップ２４の後端を受ける。
【００１７】
そして、第２のケース１４の他端（上端）から釣竿２０の竿管２２の先端（穂先２２ａ）が突出するか否かを確認する。  
図２に示すように、釣竿２０の竿管２２の穂先２２ａが第２のケース１４の上端から突出している場合、図３に示すように、第１のケース１２に対して第２のケース１４の位置を相対的に上側に移動させる。一方、釣竿２０の竿管２２の穂先２２ａが第２のケース１４の内部にある場合、第１のケース１２に対して第２のケース１４の位置を相対的に下側に移動させる。このように、第１のケース１２に対して第２のケース１４を移動させる場合、第１のケース１２と第２のケース１４とを相対的に回転させて長さを伸縮させる。
【００１８】
その後、図３に示すように、第２のケース１４の雄ネジ部１４ｂにキャップ１６の雌ネジ部１６ａを螺合させて第２のケース１４を閉塞させる。このとき、釣竿２０の竿管２２の穂先２２ａの釣糸ガイド２６が釣竿ケース１０のキャップ１６の衝撃吸収材１８ｂとの間に僅かな間隔をもって配置される位置、又は、釣竿２０の竿管２２の穂先２２ａの釣糸ガイド２６が釣竿ケース１０のキャップ１６の衝撃吸収材１８ｂに僅かに触れる位置に配置されていることが好ましい。
【００１９】
一方、釣竿ケース１０から釣竿２０を取り出すときには、キャップ１６を第２のケース１４から取り外す。すると、第２のケース１４の他端から釣竿２０の竿管２２の穂先２２ａが観察される。図２に示すように、竿管２２の穂先２２ａが第２のケース１４の他端から外部に突出するまで第２のケース１４を第１のケース１２に対して移動させる。その後、釣竿２０を釣竿ケース１０から取り出す。
【００２０】
なお、釣竿ケース１０に釣竿２０を収納する際、上述したように、第１のケース１２にグリップ２４を配置するように形成されている。逆に、キャップ１６を螺合させた第２のケース１４を通してキャップ１６の衝撃吸収材１８ｂ側にグリップ２４を配置すると、釣竿２０を収納する際に釣竿２０の釣糸ガイド２６等が第１のケース１２の開放された他端に引っ掛かるおそれがあるので、釣竿２０を配置する向きは、上述した向きであることが好ましい。
【００２１】
以上説明したように、この実施の形態によれば以下の効果が得られる。  
第１のケース１２と第２のケース１４とを螺合することにより、これらを相対的に移動させるだけで釣竿ケース１０の長さを自在に伸縮することができる。すなわち、この実施の形態に係る釣竿ケース１０によれば、その長さ調整を連続的に行うことができるので、釣竿収納部１０ａの大きさを種々の長さの釣竿２０に合わせて微調整して変更することができる。したがって、釣竿２０の長さを選ばず、各種の長さを有する釣竿２０の収納に好適である。また、第１のケース１２に対して第２のケース１４の螺合状態を変更するだけで釣竿２０の竿管２２の穂先２２ａを釣竿収納部１０ａに対して突出させたり引き込んだりすることができるので、釣竿収納部１０ａに対する釣竿２０の出し入れも簡単である。  
また、キャップ１６を用いることによって、釣竿１０を釣竿収納部１０ａに対して容易に出し入れすることができる。
【００２２】
なお、図示しないが、第２のケース１４の一端の外周面の全周を斜めにカットしてできるだけ薄肉とし、第２のケース１４の一端が引っ掛かりを防止するように形成することも好適である。
【００２３】
また、この実施の形態では、キャップ１６を第２のケース１４の他端に対して着脱して開閉可能とした例について説明したが、例えばヒンジ等を用いて開閉可能とすることも好ましい。
【００２４】
（第２の実施の形態）
次に、第２の実施の形態について図４を用いて説明する。この実施の形態は第１の実施の形態の変形例である。
【００２５】
図４（Ａ）および図４（Ｂ）に示すように、この実施の形態は、第１の実施の形態で説明した第１のケース１２の雄ネジ部１２ａの外周面に更にナット（緩み止め部）４０を配設した例である。
【００２６】
ナット４０を第１のケース１２の雄ネジ部１２ａに螺合させ、かつ、第２のケース１４の一端をナット４０に当接させると、ナット４０が配設されていることにより、第１のケース１２の雄ネジ部１２ａと第２のケース１４の雌ネジ部１４ａとの螺合がそれ以上進まない。このため、釣竿ケース１０がそれ以上短くなることが防止される。したがって、釣竿２０がすでに釣竿収納部１０ａに収納されてキャップ１６がされているときに、第１のケース１２に対して第２のケース１４がより深く螺合することを防止でき、釣竿２０の竿管２２の穂先２２ａに対してキャップ１６の衝撃吸収材１８ｂにより力が加えられることを防止することができる。
【００２７】
釣竿ケース１０の釣竿収納部１０ａから釣竿２０を取り出す場合、ナット４０を第１のケース１２の一端側に移動させ、その後、第２のケース１４の雌ネジ部１４ａを第１のケース１２の雄ネジ部１２ａにナット４０に当接するまで螺合させる。すると、第１の実施の形態で説明したように、竿管２２の穂先２２ａが第２のケース１４の他端から突出するので、釣竿２０を釣竿収納部１０ａから容易に取り出すことができる。
【００２８】
（第３の実施の形態）
次に、第３の実施の形態について図５を用いて説明する。この実施の形態は第１および第２の実施の形態の変形例である。
【００２９】
図５に示すように、第１のケース１２の他端の内周面には、テーパ部１２ｂが形成されている。このため、釣竿２０のグリップ２４を第１のケース１２の衝撃吸収材１８ａまで導入する際に滑らかに導入することができる。
【００３０】
（第４の実施の形態）
次に、第４の実施の形態について図６を用いて説明する。この実施の形態は第１から第３の実施の形態の変形例である。
【００３１】
図６（Ａ）に示すように、この実施の形態は、第１の実施の形態で説明した第１のケース１２の雄ネジ部１２ａの外周面に更に筒状の弾性部材（緩み止め部）５０が配設された例である。この弾性部材５０は、第２のケース１４の一端の外周面に固定された基部５０ａと、第２のケース１４の一端よりも第１のケース１２の一端側に延出された折り返し部５０ｂとを有する。基部５０ａと折り返し部５０ｂとは連結部５０ｃで連結されている。基部５０ａと折り返し部５０ｂとの連結部５０ｃは、折り返し部５０ｂを第１のケース１２の雄ネジ部１２ａに対して押し付け、又は、基部５０ａの外周面に重ね合わせる状態を維持するようにバネ性を有することが好ましい。なお、この弾性部材５０は、例えば合成ゴム、天然ゴム等のゴム材や樹脂材で形成されていることが好ましい。
【００３２】
弾性部材５０の基部５０ａは、第２のケース１４の外径よりも小さい内径を有する。また、弾性部材５０の折り返し部５０ｂの内径は、第１のケース１２の雄ネジ部１２ａの外径よりも小さく形成されている。
【００３３】
図６（Ｂ）に示すように、折り返し部５０ｂが連結部５０ｃにより折り返された場合、折り返し部５０ｂは基部５０ａの外周面にあるので、弾性部材５０が第１のケース１２の雄ネジ部１２ａと第２のケース１４の雌ネジ部１４ａとの間の螺合状態に影響を与えることはない。このため、第２のケース１４の雌ネジ部１４ａを第１のケース１２の雄ネジ部１２ａに対して容易に回転させることができる。したがって、釣竿収納部１０ａの長さを自在に伸縮することができる。
【００３４】
一方、弾性部材５０の折り返し部５０ｂが図６（Ｃ）に示す位置にある場合、弾性部材５０の連結部５０ｃの作用（バネ性）に加えて折り返し部５０ｂ自体の内径が第１のケース１２の雄ネジ部１２ａの外径よりも小さいことから、折り返し部５０ｂで第１のケース１２の雄ネジ部１２ａを押さえ付ける。すなわち、第１のケース１２の雄ネジ部１２ａと弾性部材５０の折り返し部５０ｂとの間の摩擦により、第１のケース１２の雄ネジ部１２ａと第２のケース１４の雌ネジ部１４ａとの間の緩みを防止する。
【００３５】
このように弾性部材５０の折り返し部５０ｂを第１のケース１２の雄ネジ部１２ａに押し付けることにより、第１のケース１２の雄ネジ部１２ａと第２のケース１４の雌ネジ部１４ａとの螺合がそれ以上進まないので、釣竿ケース１０の全長がそれ以上短くなる、又は後述するように長くなることが防止される。したがって、釣竿２０がすでに釣竿収納部１０ａに収納されてキャップ１６がされているときに、第１のケース１２に対して第２のケース１４が移動してより深く／浅く螺合することを防止でき、釣竿２０の竿管２２の穂先２２ａに対してキャップ１６の衝撃吸収材１８ｂにより力が加えられることを防止することができる。
【００３６】
また、弾性部材５０の折り返し部５０ｂを第１のケース１２の雄ネジ部１２ａに押し付けることにより、第１のケース１２の雄ネジ部１２ａと第２のケース１４の雌ネジ部１４ａとの螺合が解除されることも防止されるので、釣竿ケース１０がそれ以上長くなることも防止される。したがって、釣竿２０がすでに釣竿収納部１０ａに収納されてキャップ１６がされているときに、第１のケース１２に対して第２のケース１４の螺合が解除される方向に移動することを防止でき、釣竿収納部１０ａの全長が大きくなって衝撃吸収材１８ａ，１８ｂ間を釣竿２０が大きく移動することも防止できる。
【００３７】
また、このとき、折り返し部５０ｂにより第１のケース１２の雄ネジ部１２ａと第２のケース１４の雌ネジ部１４ａとの間の隙間にゴミ等の異物が入ることを防止することができる。
【００３８】
なお、釣竿ケース１０の釣竿収納部１０ａから釣竿２０を取り出す場合、弾性部材５０の折り返し部５０ｂを図６（Ｂ）に示す位置に配置して、第２のケース１４を第１のケース１２の一端側に移動させる。すると、第１の実施の形態で説明したように、竿管２２の穂先２２ａが第２のケース１４の他端から突出するので、釣竿２０を釣竿収納部１０ａから容易に取り出すことができる。
【００３９】
これまで、いくつかの実施の形態について図面を参照しながら具体的に説明したが、この発明は、上述した実施の形態に限定されるものではなく、その要旨を逸脱しない範囲で行なわれるすべての実施を含む。
【図面の簡単な説明】
【００４０】
【図１】（Ａ）は第１の実施の形態に係る釣竿ケースを分解した状態を示す概略的な縦断面図、（Ｂ）は図１（Ａ）に示す釣竿ケースに収納される釣竿の一例を示す概略図。
【図２】第１の実施の形態に係る釣竿ケースの釣竿収納部に図１（Ｂ）に示す釣竿を収納し、かつ、釣竿の穂先竿管を第２のケースの他端に対して突出させた状態を示す概略図。
【図３】第１の実施の形態に係る釣竿ケースの釣竿収納部に図１（Ｂ）に示す釣竿を収納した状態を示す概略図。
【図４】（Ａ）は第２の実施の形態に係る釣竿ケースの概略的な縦断面図、（Ｂ）は第２の実施の形態に係る釣竿ケースの概略的な正面図。
【図５】第３の実施の形態に係る釣竿ケースの第１のケースの他端の内周面をテーパ状に加工した状態を示す概略図。
【図６】（Ａ）は第４の実施の形態に係る釣竿ケースの一部を示す概略的な縦断面図、（Ｂ）は図６（Ａ）に示す弾性部材の折り返し部を基部に対して折り返して重ねた状態を示す概略的な正面図、（Ｃ）は図６（Ａ）に示す弾性部材の折り返し部を基部に対して伸ばした状態を示す概略的な正面図。
【符号の説明】
【００４１】
１０…釣竿ケース、１０ａ…釣竿収納部、１２…第１のケース、１２ａ…雄ネジ部、１４…第２のケース、１４ａ…雌ネジ部、１４ｂ…雄ネジ部、１６…キャップ、１６ａ…雌ネジ部、１８ａ，１８ｂ…衝撃吸収材、２０…釣竿、２２…竿管、２４…グリップ、２６…釣糸ガイド。
【図１】
2010104337.tif 000003
【図２】
2010104337.tif 000004
【図３】
2010104337.tif 000005
【図４】
2010104337.tif 000006
【図５】
2010104337.tif 000007
【図６】
2010104337.tif 000008